(57)【要約】【課題】ネットワークを介した遠隔会議に参加するユーザによって操作される通信装置での表示を好適に行うことができる、通信装置を制御するコンピュータが実行可能なプログラムと通信装置を提供する。【解決手段】相手方の顔の領域のサイズと、表示部において相手方撮影データに対応する相手方の顔を含む相手方画像が表示される第１表示領域のサイズの比率に従い、表示部の第２表示領域において共有資料データに対応する共有資料を表示する場合の表示倍率が設定される。相手方画像が第１表示領域に表示され、共有資料が設定された表示倍率で第２表示領域に表示される。第１表示領域のサイズに対する相手方の顔の領域のサイズが第１比率となる状態では、第１比率に対応する表示倍率が設定され、第１比率より大きい第２比率となる状態では、第１比率に対応する表示倍率より高倍率の第２比率に対応する表示倍率が設定される。【選択図】図６
2014194675.tif 000002
【特許請求の範囲】
【請求項１】
ネットワークを介した遠隔会議に参加するユーザによって操作される通信装置を制御するコンピュータが実行可能なプログラムであって、
前記コンピュータを、
前記遠隔会議に参加する相手方によって操作される相手方装置で撮影され、前記相手方装置から前記ネットワークを介して送信される前記相手方の顔を含む相手方撮影データを取得する第１取得手段と、
前記相手方装置との間で共有される共有資料に対応する共有資料データを取得する第２取得手段と、
前記第１取得手段で取得された前記相手方撮影データにおける前記相手方の顔の領域のサイズを決定する決定手段と、
前記決定手段で決定された前記相手方の顔の領域のサイズと、前記通信装置に接続される表示部において前記第１取得手段で取得された前記相手方撮影データに対応する前記相手方の顔を含む相手方画像が表示される第１表示領域のサイズと、の比率に従い、前記表示部の第２表示領域において前記共有資料データに対応する前記共有資料を表示する場合の表示倍率を設定する第１設定手段と、
前記相手方画像を前記第１表示領域に表示する指示を前記表示部に出力し、前記第２取得手段で取得された前記共有資料データに対応する前記共有資料を、前記第１設定手段で設定された前記表示倍率で前記第２表示領域に表示する指示を前記表示部に出力する、表示制御手段と、して機能させ、
前記第１設定手段は、
前記第１表示領域のサイズに対する前記相手方の顔の領域のサイズが第１比率となる状態では、前記第１比率に対応する前記表示倍率を設定し、
前記第１表示領域のサイズに対する前記相手方の顔の領域のサイズが前記第１比率より大きい第２比率となる状態では、前記第１比率に対応する前記表示倍率より高倍率の前記第２比率に対応する前記表示倍率を設定する、機能を含む、プログラム。
【請求項２】
前記第１取得手段は、前記遠隔会議に参加する第１相手方によって操作される第１相手方装置で撮影され、前記第１相手方装置から前記ネットワークを介して送信される前記第１相手方の顔を含む第１相手方撮影データと、前記遠隔会議に参加する第２相手方によって操作される第２相手方装置で撮影され、前記第２相手方装置から前記ネットワークを介して送信される前記第２相手方の顔を含む第２相手方撮影データと、を取得する機能を含み、
前記第１設定手段は、前記第１取得手段で取得された、前記第１相手方撮影データに含まれる前記第１相手方の顔の領域のサイズと、前記第２相手方撮影データに含まれる前記第２相手方の顔の領域のサイズと、のうち、前記顔の領域のサイズが小さい前記相手方撮影データを対象として前記表示倍率を設定する機能を含む、請求項１に記載のプログラム。
【請求項３】
前記コンピュータを、
前記通信装置で取得された前記ユーザの顔を含む自装置撮影データが前記相手方装置に送信されるか否かを設定する第２設定手段と、
前記自装置撮影データに対応する前記ユーザの顔を含む自装置画像が表示される第３表示領域のサイズと、前記自装置撮影データにおける前記ユーザの顔の領域のサイズと、の比に応じた基準倍率を設定する第３設定手段と、して機能させ、
前記第１設定手段は、前記第２設定手段による設定が前記自装置撮影データが前記相手方装置に送信される状態で、前記決定手段で決定された前記相手方の顔の領域のサイズと前記第１表示領域のサイズとの比率に従った前記表示倍率が、前記第３設定手段によって設定された前記基準倍率より低い倍率である場合、前記基準倍率を前記表示倍率として設定する機能を含む、請求項１又は請求項２に記載のプログラム。
【請求項４】
前記コンピュータを、
前記通信装置で取得された前記ユーザの顔を含む自装置撮影データが前記相手方装置に送信されるか否かを設定する第２設定手段と、
前記相手方画像を前記第１表示領域に表示するか否かを設定する第４設定手段と、して機能させ、
前記第１設定手段は、前記第２設定手段による設定が前記自装置撮影データが前記相手方装置に送信されない状態で、前記第４設定手段による設定が前記相手方画像を前記第１表示領域に表示しない状態である場合、前記表示倍率を設定しない機能を含み、
前記表示制御手段は、
前記第４設定手段による設定が前記相手方画像を前記第１表示領域に表示しない状態である場合、前記相手方画像を前記第１表示領域に表示する指示を出力せず、
前記第２設定手段による設定が前記自装置撮影データが前記相手方装置に送信されない状態で、前記第４設定手段による設定が前記相手方画像を前記第１表示領域に表示しない状態である場合、前記共有資料データに対応する前記共有資料を、前記表示倍率で前記第２表示領域に表示する指示を出力しない、機能を含む、請求項１から請求項３の何れか１項に記載のプログラム。
【請求項５】
ネットワークを介した遠隔会議に参加するユーザによって操作される通信装置を制御するコンピュータが実行可能なプログラムであって、
前記コンピュータを、
前記遠隔会議に参加する相手方によって操作される相手方装置で撮影され、前記相手方装置から前記ネットワークを介して送信される前記相手方の顔を含む相手方撮影データを取得する第１取得手段と、
前記相手方装置との間で共有される共有資料に対応する共有資料データを取得する第２取得手段と、
前記第１取得手段で取得された前記相手方撮影データに対応する前記相手方の顔を含む相手方画像を、前記通信装置に接続される表示部の第１表示領域に表示する指示を前記表示部に出力し、前記第２取得手段で取得された前記共有資料データに対応する前記共有資料を、前記表示部の第２表示領域に表示する指示を前記表示部に出力する、表示制御手段と、
前記表示制御手段によって前記第２表示領域に表示されている前記共有資料データに対応する前記共有資料の表示倍率を取得する第３取得手段と、して機能させ、
前記表示制御手段は、前記第３取得手段で取得された前記表示倍率が基準となる第１倍率より大きい第２倍率である場合、前記第３取得手段で取得された前記表示倍率が前記第１倍率より小さい第３倍率の状態で前記第１表示領域に表示される前記相手方画像より拡大された状態の前記相手方画像を、前記第１表示領域に表示する指示を前記表示部に出力する、機能を含む、プログラム。
【請求項６】
ネットワークを介した遠隔会議に参加するユーザによって操作される通信装置であって、
前記遠隔会議に参加する相手方によって操作される相手方装置で撮影され、前記相手方装置から前記ネットワークを介して送信される前記相手方の顔を含む相手方撮影データを取得する第１取得手段と、
前記相手方装置との間で共有される共有資料に対応する共有資料データを取得する第２取得手段と、
前記第１取得手段で取得された前記相手方撮影データにおける前記相手方の顔の領域のサイズを決定する決定手段と、
前記決定手段で決定された前記相手方の顔の領域のサイズと、前記通信装置に接続される表示部において前記第１取得手段で取得された前記相手方撮影データに対応する前記相手方の顔を含む相手方画像が表示される第１表示領域のサイズと、の比率に従い、前記表示部の第２表示領域において前記共有資料データに対応する前記共有資料を表示する場合の表示倍率を設定する第１設定手段と、
前記相手方画像を前記第１表示領域に表示する指示を前記表示部に出力し、前記第２取得手段で取得された前記共有資料データに対応する前記共有資料を、前記第１設定手段で設定された前記表示倍率で前記第２表示領域に表示する指示を前記表示部に出力する、表示制御手段と、を備え、
前記第１設定手段は、
前記第１表示領域のサイズに対する前記相手方の顔の領域のサイズが第１比率となる状態では、前記第１比率に対応する前記表示倍率を設定し、
前記第１表示領域のサイズに対する前記相手方の顔の領域のサイズが前記第１比率より大きい第２比率となる状態では、前記第１比率に対応する前記表示倍率より高倍率の前記第２比率に対応する前記表示倍率を設定する、通信装置。
【請求項７】
ネットワークを介した遠隔会議に参加するユーザによって操作される通信装置であって、
前記遠隔会議に参加する相手方によって操作される相手方装置で撮影され、前記相手方装置から前記ネットワークを介して送信される前記相手方の顔を含む相手方撮影データを取得する第１取得手段と、
前記相手方装置との間で共有される共有資料に対応する共有資料データを取得する第２取得手段と、
前記第１取得手段で取得された前記相手方撮影データに対応する前記相手方の顔を含む相手方画像を、前記通信装置に接続される表示部の第１表示領域に表示する指示を前記表示部に出力し、前記第２取得手段で取得された前記共有資料データに対応する前記共有資料を、前記表示部の第２表示領域に表示する指示を前記表示部に出力する、表示制御手段と、
前記表示制御手段によって前記第２表示領域に表示されている前記共有資料データに対応する前記共有資料の表示倍率を取得する第３取得手段と、を備え、
前記表示制御手段は、前記第３取得手段で取得された前記表示倍率が基準となる第１倍率より大きい第２倍率である場合、前記第３取得手段で取得された前記表示倍率が前記第１倍率より小さい第３倍率の状態で前記第１表示領域に表示される前記相手方画像より拡大された状態の前記相手方画像を、前記第１表示領域に表示する指示を前記表示部に出力する、通信装置。
【発明の詳細な説明】
【技術分野】
【０００１】
本発明は、ネットワークを介した遠隔会議に参加するユーザによって操作される通信装置を制御するコンピュータが実行可能なプログラムと、通信装置に関する。
【背景技術】
【０００２】
ネットワークを介した遠隔会議に関する技術が提案されている。例えば、特許文献１には、複数の通信端末装置を構成要素とするテレビ会議システムが開示されている。このテレビ会議システムでは、一の通信端末装置から、撮影画像及び資料画像が受信される。受信された撮影画像及び資料画像がディスプレイに表示される。同様に、他の通信端末装置から受信した撮影画像がディスプレイに表示される。
【先行技術文献】
【特許文献】
【０００３】
【特許文献１】特開２０１０−２０６７４５号公報
【発明の概要】
【発明が解決しようとする課題】
【０００４】
ネットワークを介して複数の通信装置を接続した遠隔会議システムが実用化されている。遠隔会議システムでは、ネットワークを介して接続された各通信装置を、遠隔会議に参加する各ユーザが操作することで、遠隔会議が行われる。各通信装置では、各通信装置を利用するユーザを撮影し、取得された撮影データが他の通信装置に送信され、他の通信装置では、取得された撮影データに対応する撮影画像が表示される。また、各通信装置では、共有資料データに対応する共有資料が表示される。従って、遠隔会議システムでは、遠隔会議の参加者である相手方の顔（表情）を確認しつつ、共有資料を見ながら遠隔会議に参加することができる。通信装置が表示部の画面サイズが小さいスマートフォンのような携帯端末装置である場合、表示部の画面サイズが小さく、これに伴い、相手方の顔と共有資料を表示するための表示領域は狭くなる。その結果、相手方の顔又は共有資料が視認しづらくなる場合もある。
【０００５】
相手方の顔又は資料が視認し難い場合、ユーザは、通信装置に自身の顔を近づける場合がある。通信装置に顔を近づけると、ユーザの顔の一部（例えば、額）のみが撮影されることもあり、このような状態の撮影データが他の通信装置に送信されることとなる。他の通信装置では、顔の一部のみが表示されることとなる。
【０００６】
本発明は、ネットワークを介した遠隔会議に参加するユーザによって操作される通信装置での表示を好適に行うことができる、通信装置を制御するコンピュータが実行可能なプログラムと通信装置を提供することを目的とする。
【課題を解決するための手段】
【０００７】
本発明の一側面は、ネットワークを介した遠隔会議に参加するユーザによって操作される通信装置を制御するコンピュータが実行可能なプログラムであって、前記コンピュータを、前記遠隔会議に参加する相手方によって操作される相手方装置で撮影され、前記相手方装置から前記ネットワークを介して送信される前記相手方の顔を含む相手方撮影データを取得する第１取得手段と、前記相手方装置との間で共有される共有資料に対応する共有資料データを取得する第２取得手段と、前記第１取得手段で取得された前記相手方撮影データにおける前記相手方の顔の領域のサイズを決定する決定手段と、前記決定手段で決定された前記相手方の顔の領域のサイズと、前記通信装置に接続される表示部において前記第１取得手段で取得された前記相手方撮影データに対応する前記相手方の顔を含む相手方画像が表示される第１表示領域のサイズと、の比率に従い、前記表示部の第２表示領域において前記共有資料データに対応する前記共有資料を表示する場合の表示倍率を設定する第１設定手段と、前記相手方画像を前記第１表示領域に表示する指示を前記表示部に出力し、前記第２取得手段で取得された前記共有資料データに対応する前記共有資料を、前記第１設定手段で設定された前記表示倍率で前記第２表示領域に表示する指示を前記表示部に出力する、表示制御手段と、して機能させ、前記第１設定手段は、前記第１表示領域のサイズに対する前記相手方の顔の領域のサイズが第１比率となる状態では、前記第１比率に対応する前記表示倍率を設定し、前記第１表示領域のサイズに対する前記相手方の顔の領域のサイズが前記第１比率より大きい第２比率となる状態では、前記第１比率に対応する前記表示倍率より高倍率の前記第２比率に対応する前記表示倍率を設定する、機能を含む、プログラムである。
【０００８】
これによれば、相手方画像を表示する第１表示領域のサイズに対する相手方の顔の領域のサイズの比率に応じて、第２表示領域における共有資料の表示倍率を設定し、設定された表示倍率にて共有資料を表示することができる。前述した比率に応じて共有資料の表示倍率を適宜変更することができる。通信装置のユーザに対して、共有資料を視認し易い状態で表示することができる。「前記通信装置に接続される表示部」は、広く解釈される。即ち、通信装置に対して表示部は、一体又は別体の何れであってもよい。「前記相手方装置との間で共有される共有資料に対応する共有資料データ」における「共有」は、広く解釈される。例えば、通信装置及び相手方装置は、同じ共有資料データをそれぞれ取得する場合を含む。
【０００９】
このプログラムは、次のようにしてもよい。前記第１取得手段は、前記遠隔会議に参加する第１相手方によって操作される第１相手方装置で撮影され、前記第１相手方装置から前記ネットワークを介して送信される前記第１相手方の顔を含む第１相手方撮影データと、前記遠隔会議に参加する第２相手方によって操作される第２相手方装置で撮影され、前記第２相手方装置から前記ネットワークを介して送信される前記第２相手方の顔を含む第２相手方撮影データと、を取得する機能を含み、前記第１設定手段は、前記第１取得手段で取得された、前記第１相手方撮影データに含まれる前記第１相手方の顔の領域のサイズと、前記第２相手方撮影データに含まれる前記第２相手方の顔の領域のサイズと、のうち、前記顔の領域のサイズが小さい前記相手方撮影データを対象として前記表示倍率を設定する機能を含む、ようにしてもよい。これによれば、第１相手方装置を操作する第１相手方と、第２相手方装置を操作する第２相手方と共に遠隔会議が行われる場合、顔の領域のサイズが小さい相手方撮影データに基づき表示倍率を設定することができる。第１表示領域に、第１相手方撮影データに対応する第１相手方の顔を含む相手方画像と、第２相手方撮影データに対応する第２相手方の顔を含む相手方画像が共に表示される場合、上述した「前記第１表示領域のサイズ」は、顔の領域のサイズが小さい相手方撮影データに対応した相手方画像が表示される第１表示領域の部分のサイズであってもよい。
【００１０】
前記コンピュータを、前記通信装置で取得された前記ユーザの顔を含む自装置撮影データが前記相手方装置に送信されるか否かを設定する第２設定手段と、前記自装置撮影データに対応する前記ユーザの顔を含む自装置画像が表示される第３表示領域のサイズと、前記自装置撮影データにおける前記ユーザの顔の領域のサイズと、の比に応じた基準倍率を設定する第３設定手段と、して機能させ、前記第１設定手段は、前記第２設定手段による設定が前記自装置撮影データが前記相手方装置に送信される状態で、前記決定手段で決定された前記相手方の顔の領域のサイズと前記第１表示領域のサイズとの比率に従った前記表示倍率が、前記第３設定手段によって設定された前記基準倍率より低い倍率である場合、前記基準倍率を前記表示倍率として設定する機能を含む、ようにしてもよい。これによれば、ユーザの顔の領域のサイズに基づき基準倍率を設定し、自装置撮影データが相手方装置に送信されている状態で共有資料を基準倍率以上の表示倍率で表示させることができる。
【００１１】
前記コンピュータを、前記通信装置で取得された前記ユーザの顔を含む自装置撮影データが前記相手方装置に送信されるか否かを設定する第２設定手段と、前記相手方画像を前記第１表示領域に表示するか否かを設定する第４設定手段と、して機能させ、前記第１設定手段は、前記第２設定手段による設定が前記自装置撮影データが前記相手方装置に送信されない状態で、前記第４設定手段による設定が前記相手方画像を前記第１表示領域に表示しない状態である場合、前記表示倍率を設定しない機能を含み、前記表示制御手段は、前記第４設定手段による設定が前記相手方画像を前記第１表示領域に表示しない状態である場合、前記相手方画像を前記第１表示領域に表示する指示を出力せず、前記第２設定手段による設定が前記自装置撮影データが前記相手方装置に送信されない状態で、前記第４設定手段による設定が前記相手方画像を前記第１表示領域に表示しない状態である場合、前記共有資料データに対応する前記共有資料を、前記表示倍率で前記第２表示領域に表示する指示を出力しない、機能を含む、ようにしてもよい。これによれば、自装置撮影データが相手方装置に送信されているか否かと、相手方画像を第１表示領域に表示しているか否かに基づき、第１設定手段による表示倍率の設定を、実行又は未実行とすることができる。
【００１２】
本発明の他側面は、ネットワークを介した遠隔会議に参加するユーザによって操作される通信装置を制御するコンピュータが実行可能なプログラムであって、前記コンピュータを、前記遠隔会議に参加する相手方によって操作される相手方装置で撮影され、前記相手方装置から前記ネットワークを介して送信される前記相手方の顔を含む相手方撮影データを取得する第１取得手段と、前記相手方装置との間で共有される共有資料に対応する共有資料データを取得する第２取得手段と、前記第１取得手段で取得された前記相手方撮影データに対応する前記相手方の顔を含む相手方画像を、前記通信装置に接続される表示部の第１表示領域に表示する指示を前記表示部に出力し、前記第２取得手段で取得された前記共有資料データに対応する前記共有資料を、前記表示部の第２表示領域に表示する指示を前記表示部に出力する、表示制御手段と、前記表示制御手段によって前記第２表示領域に表示されている前記共有資料データに対応する前記共有資料の表示倍率を取得する第３取得手段と、して機能させ、前記表示制御手段は、前記第３取得手段で取得された前記表示倍率が基準となる第１倍率より大きい第２倍率である場合、前記第３取得手段で取得された前記表示倍率が前記第１倍率より小さい第３倍率の状態で前記第１表示領域に表示される前記相手方画像より拡大された状態の前記相手方画像を、前記第１表示領域に表示する指示を前記表示部に出力する、機能を含む、プログラムである。
【００１３】
これによれば、共有資料の表示倍率が基準となる第１倍率より大きい第２倍率である場合、第１倍率より小さい第３倍率の状態で第１表示領域に表示される相手方画像より拡大された状態の相手方画像を第１表示領域に表示することができる。通信装置のユーザに対して、相手方画像を視認し易い状態で表示することができる。「前記通信装置に接続される表示部」と「前記相手方装置との間で共有される共有資料に対応する共有資料データ」は、上記同様である。
本発明のさらに他側面は、ネットワークを介した遠隔会議に参加するユーザによって操作される通信装置であって、前記遠隔会議に参加する相手方によって操作される相手方装置で撮影され、前記相手方装置から前記ネットワークを介して送信される前記相手方の顔を含む相手方撮影データを取得する第１取得手段と、前記相手方装置との間で共有される共有資料に対応する共有資料データを取得する第２取得手段と、前記第１取得手段で取得された前記相手方撮影データにおける前記相手方の顔の領域のサイズを決定する決定手段と、前記決定手段で決定された前記相手方の顔の領域のサイズと、前記通信装置に接続される表示部において前記第１取得手段で取得された前記相手方撮影データに対応する前記相手方の顔を含む相手方画像が表示される第１表示領域のサイズと、の比率に従い、前記表示部の第２表示領域において前記共有資料データに対応する前記共有資料を表示する場合の表示倍率を設定する第１設定手段と、前記相手方画像を前記第１表示領域に表示する指示を前記表示部に出力し、前記第２取得手段で取得された前記共有資料データに対応する前記共有資料を、前記第１設定手段で設定された前記表示倍率で前記第２表示領域に表示する指示を前記表示部に出力する、表示制御手段と、を備え、前記第１設定手段は、前記第１表示領域のサイズに対する前記相手方の顔の領域のサイズが第１比率となる状態では、前記第１比率に対応する前記表示倍率を設定し、前記第１表示領域のサイズに対する前記相手方の顔の領域のサイズが前記第１比率より大きい第２比率となる状態では、前記第１比率に対応する前記表示倍率より高倍率の前記第２比率に対応する前記表示倍率を設定する、通信装置である。これによれば、通信装置で、対応する上記のプログラムと同様の作用が実現される。この通信装置は、上記の各プログラムと同様、他の手段を備える通信装置として特定することもできる。この場合、通信装置は、上記の各プログラムのうち対応するプログラムと同様の作用を奏する。
【００１４】
本発明のさらに他側面は、ネットワークを介した遠隔会議に参加するユーザによって操作される通信装置であって、前記遠隔会議に参加する相手方によって操作される相手方装置で撮影され、前記相手方装置から前記ネットワークを介して送信される前記相手方の顔を含む相手方撮影データを取得する第１取得手段と、前記相手方装置との間で共有される共有資料に対応する共有資料データを取得する第２取得手段と、前記第１取得手段で取得された前記相手方撮影データに対応する前記相手方の顔を含む相手方画像を、前記通信装置に接続される表示部の第１表示領域に表示する指示を前記表示部に出力し、前記第２取得手段で取得された前記共有資料データに対応する前記共有資料を、前記表示部の第２表示領域に表示する指示を前記表示部に出力する、表示制御手段と、前記表示制御手段によって前記第２表示領域に表示されている前記共有資料データに対応する前記共有資料の表示倍率を取得する第３取得手段と、を備え、前記表示制御手段は、前記第３取得手段で取得された前記表示倍率が基準となる第１倍率より大きい第２倍率である場合、前記第３取得手段で取得された前記表示倍率が前記第１倍率より小さい第３倍率の状態で前記第１表示領域に表示される前記相手方画像より拡大された状態の前記相手方画像を、前記第１表示領域に表示する指示を前記表示部に出力する、通信装置である。これによれば、対応する上記のプログラムと同様の作用が実現される。
【発明の効果】
【００１５】
本発明によれば、ネットワークを介した遠隔会議に参加するユーザによって操作される通信装置での表示を好適に行うことができる、通信装置を制御するコンピュータが実行可能なプログラムと通信装置を得ることができる。
【図面の簡単な説明】
【００１６】
【図１】遠隔会議システムの一例を示す図である。
【図２】遠隔会議画面の一例を示す図である。
【図３】会議アプリ処理のフローチャートである。
【図４】自装置映像処理のフローチャートである。
【図５】他装置映像処理のフローチャートである。
【図６】第１実施例の拡大制御処理のフローチャートである。
【図７】共有資料の表示倍率の下限値の選定を説明する図である。
【図８】第１実施例の拡大制御処理による共有資料の表示倍率の高倍率化を説明する図である。
【図９】第２実施例の拡大制御処理のフローチャートである。
【図１０】第２実施例の拡大制御処理による撮影データ（撮影画像）の拡大を説明する図である。
【図１１】第２実施例の拡大制御処理による撮影データ（撮影画像）の縮小を説明する図である。
【発明を実施するための形態】
【００１７】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１８】
＜遠隔会議システム＞
遠隔会議システム１０の概略について、図１を参照して説明する。遠隔会議システム１０は、図１に示すように、会議サーバ２０と通信装置３０と第１相手方装置７１と第２相手方装置７２を含む。以下では、通信装置３０と第１相手方装置７１と第２相手方装置７２によって行われる遠隔会議を例に説明する。遠隔会議システム１０による遠隔会議は、通信装置３０と１台の相手方装置、又は、通信装置３０と３台以上の相手方装置で行われるようにしてもよい。第１相手方装置７１及び第２相手方装置７２を区別せず、又は、これらを総称する場合、「相手方装置７１，７２」という。
【００１９】
会議サーバ２０と通信装置３０と相手方装置７１，７２は、ネットワーク９０に接続されている。ネットワーク９０は、例えば、インターネットのようなネットワークである。通信装置３０及び相手方装置７１，７２による遠隔会議は、公知の遠隔会議システムと同様、会議サーバ２０を経由して行われる。会議サーバ２０は、公知の遠隔会議システムにおける会議サーバと同様のサーバ装置である。従って、会議サーバ２０に関する説明は、省略する。遠隔会議システム１０による遠隔会議は、通信装置３０と相手方装置７１，７２が、ネットワーク９０を介して直接通信して行うようにしてもよい。このようなＰ２Ｐ型の遠隔会議では、会議サーバ２０は省略される。
【００２０】
通信装置３０は、ネットワーク９０を介した通信機能を有する端末装置である。通信装置３０は、例えば、スマートフォン、タブレット端末又はパーソナルコンピュータのような端末装置である。以下では、通信装置３０がスマートフォン又はタブレット端末のような携帯端末である場合を例に説明する。通信装置３０の構成については、後述する。相手方装置７１，７２は、パーソナルコンピュータのような公知の端末装置である。相手方装置７１，７２は、通信装置３０と同様の端末装置であってもよい。従って、相手方装置７１，７２に関する説明は、省略する。
【００２１】
遠隔会議システム１０では、通信装置３０で撮影された撮影データ（以下、「自装置撮影データ」という）が通信装置３０から会議サーバ２０に送信される。このとき、通信装置３０は、自装置撮影データと共に、通信装置３０を識別する端末ＩＤも送信する。また、第１相手方装置７１で撮影された撮影データ（以下、「第１相手方撮影データ」という）が第１相手方装置７１から会議サーバ２０に送信され、第２相手方装置７２で撮影された撮影データ（以下、「第２相手方撮影データ」という）が第２相手方装置７２から会議サーバ２０に送信される。このとき、第１相手方装置７１は、第１相手方撮影データと共に、第１相手方装置７１を識別する端末ＩＤも送信する。第２相手方装置７２は、第２相手方撮影データと共に、第２相手方装置７２を識別する端末ＩＤも送信する。
【００２２】
会議サーバ２０は、自装置撮影データと第１相手方撮影データと第２相手方撮影データを受信し、これらを取得する。会議サーバ２０は、通信装置３０及び相手方装置７１，７２に、自装置撮影データと第１相手方撮影データと第２相手方撮影データをそれぞれ送信する。このとき、自装置撮影データは、通信装置３０の端末ＩＤが対応付けられた状態で送信され、第１相手方撮影データは、第１相手方装置７１の端末ＩＤが対応付けられた状態で送信され、第２相手方撮影データは、第２相手方装置７２の端末ＩＤが対応付けられた状態で送信される。通信装置３０では、会議サーバ２０から送信された前述の各データが再生される。通信装置３０では、自装置撮影データに対応した自装置画像３８０と、第１相手方撮影データに対応した第１相手方画像３８１と、第２相手方撮影データに対応した第２相手方画像３８２が表示される（図２参照）。自装置画像３８０は、自装置撮影データに対応した画像全体のうちの一部の領域を切り抜いた部分画像である場合もある。第１相手方画像３８１は、第１相手方撮影データに対応した画像全体のうちの一部の領域を切り抜いた部分画像である場合もある。第２相手方画像３８２は、第２相手方撮影データに対応した画像全体のうちの一部の領域を切り抜いた部分画像である場合もある。詳細は省略するが、相手方装置７１，７２でも、通信装置３０と同様の遠隔会議画面が表示される。
【００２３】
通信装置３０は、自装置撮影データを遠隔会議に参加する各端末装置に送信するか否かを、会議サーバ２０に対して要求することができる。送信しない場合の要求を、「配信停止の要求」という。通信装置３０のユーザは、会議サーバ２０に配信停止の要求を送信する場合、カメラキー４６Ａを押下する。第１相手方装置７１は、第１相手方撮影データの配信停止の要求を会議サーバ２０に対して行うことができる。第２相手方装置７２は、第２相手方撮影データの配信停止の要求を会議サーバ２０に対して行うことができる。会議サーバ２０は、配信停止の要求を送信した端末装置からの撮影データを、他の端末装置には送信しない。例えば、通信装置３０が配信停止の要求を会議サーバ２０に送信していた場合、会議サーバ２０は、自装置撮影データを、通信装置３０及び相手方装置７１，７２には送信しない。
【００２４】
また、通信装置３０は、自装置撮影データが遠隔会議に参加する各端末装置に送信されていない状態で、自装置撮影データの送信を開始又は再開することを、会議サーバ２０に要求することができる。送信する場合の要求を、「配信再開の要求」という。第１相手方装置７１及び第２相手方装置７２についても、通信装置３０と同様、配信再開の要求を会議サーバ２０に送信することができる。通信装置３０では、遠隔会議に参加する各端末装置に対する自装置撮影データの送信の有無を示す情報が記憶され、管理される。これらの点については、後述する。
【００２５】
第１相手方撮影データ及び第２相手方撮影データを区別せず、又は、これらを総称する場合、「相手方撮影データ」という。自装置撮影データと第１相手方撮影データと第２相手方撮影データを区別せず、又は、これらを総称する場合、「撮影データ」という。第１相手方画像３８１及び第２相手方画像３８２を区別せず、又は、これらを総称する場合、「相手方画像３８１，３８２」という。自装置画像３８０と第１相手方画像３８１と第２相手方画像３８２を区別せず、又は、これらを総称する場合、「撮影画像３８０，３８１，３８２」という。
【００２６】
遠隔会議システム１０では、通信装置３０及び相手方装置７１，７２の間で、所定の資料（以下、「共有資料」という）１２が共有される。通信装置３０及び相手方装置７１，７２では、共有資料１２が表示される。通信装置３０及び相手方装置７１，７２をそれぞれ操作する各ユーザは、自装置に表示された共有資料１２を利用しながら、遠隔会議に参加する。以下では、相手方装置７１，７２をそれぞれ操作して遠隔会議に参加する各ユーザを「相手方」という。共有資料１２に対応した共有資料データは、会議サーバ２０と、通信装置３０及び相手方装置７１，７２の間を送受信される。共有資料データは、ファイル形式のデータファイルである。
【００２７】
＜通信装置＞
通信装置３０は、図１に示すように、ＣＰＵ３２と、記憶部３４と、ＲＡＭ３６と、表示部３８と、操作部４０と、カメラ４８と、通信部５０と、音声入出力部５２を備える。これら各部３２〜５２は、バス５４に接続される。ＣＰＵ３２は、演算処理を実行する。記憶部３４は、コンピュータが読み取り可能な媒体、例えば、フラッシュメモリによって構成される。但し、記憶部３４は、ハードディスクやＲＯＭ等で構成されても差し支えない。記憶部３４には、各種のプログラムが記憶される。例えば、ＯＳ（Operating System）及び各種のアプリケーションが記憶される。記憶部３４に記憶されるアプリケーションには、後述する各処理（図３〜図６及び図９参照）を実行するプログラムが含まれる。後述する各処理を実行するプログラムは、記憶部３４に事前にインストールされていてもよいが、遠隔会議への参加に際し、通信装置３０が会議サーバ２０にアクセスした場合に、会議サーバ２０からネットワーク９０を介して伝送信号として通信装置３０に送信され、そのタイミングで、記憶部３４にインストールされるようにしてもよい。この場合、プログラムは、ＲＡＭ３６に保存されても差し支えない。
【００２８】
事前のインストールは、例えば、光学メディアや半導体メモリ等のコンピュータが読み取り可能な記憶媒体に保存されたプログラムが、通信装置３０の読み取り部（不図示）によって読み取られることで行われる。この他、事前のインストールは、ネットワーク９０を介して通信装置３０に接続されるサーバ（会議サーバ２０又は不図示のサーバ）のハードディスク等のコンピュータが読み取り可能な記憶媒体に記憶されたプログラムが、通信装置３０の通信部５０を介して伝送信号として受信されることで行われるようにしてもよい。何れの形態とするかは、諸事情を考慮し、適宜決定される。なお、コンピュータが読み取り可能な記録媒体は、一時的に伝送される信号を含まなくてもよい。コンピュータ読み取り可能な記録媒体は、非一時的な記録媒体であってもよい。非一時的な記録媒体は、一時的な信号を含まない。非一時的な記録媒体は、情報を記憶する期間に関わらず、情報を記録可能な記録媒体であればよい。
【００２９】
ＲＡＭ３６は、ＣＰＵ３２が各種のプログラムを実行する際に利用される記憶領域となる。ＲＡＭ３６には、処理の実行途中に、処理で利用される所定のデータ及び情報が記憶される。例えば、上述した配信停止の要求が、通信装置３０から会議サーバ２０に送信された場合、ＣＰＵ３２は、ＲＡＭ３６に記憶されて管理される自装置カメラ設定をＯＦＦに更新する。自装置カメラ設定の初期値は、例えば、ＯＮとされる。自装置カメラ設定のＯＦＦは、自装置撮影データが遠隔会議に参加する各端末装置に対して送信されていないことを示す設定情報である。自装置カメラ設定のＯＮは、自装置撮影データが遠隔会議に参加する各端末装置に対して送信されていることを示す設定情報である。遠隔会議開始後の初期状態の他、配信停止の要求が送信された後、配信再開の要求が送信された場合、ＲＡＭ３６に記憶される自装置カメラ設定はＯＮに更新される。ＣＰＵ３２は、記憶部３４に記憶されたＯＳ及びプログラムを実行する等して、通信装置３０を制御する。これによって、通信装置３０では、各種の処理が実行され、各種の機能手段が実現される。
【００３０】
表示部３８は、各種の情報を表示する。例えば、表示部３８には、遠隔会議画面が表示される（図２参照）。遠隔会議画面は、遠隔会議に関する表示を含む。遠隔会議画面は、遠隔会議に関する表示として、上述した、撮影画像３８０，３８１，３８２と共有資料１２を含む。以下では、遠隔会議画面において相手方画像３８１，３８２が表示される領域を「第１表示領域３８Ａ」という。遠隔会議画面において共有資料１２が表示される領域を「第２表示領域３８Ｂ」という。自装置画像３８０が表示される領域を「第３表示領域３８Ｃ」という。第１表示領域３８Ａ及び第３表示領域３８Ｃを含む撮影画像３８０，３８１，３８２が表示される全体領域を「第４表示領域３８Ｄ」という。
【００３１】
通信装置３０では、撮影画像３８０，３８１，３８２の一部又は全部の表示又は非表示を設定することができる。以下では、「表示又は非表示の設定」を「表示設定」という。撮影画像３８０，３８１，３８２のうち、表示設定が非表示に設定された自装置画像３８０、第１相手方画像３８１及び／又は第２相手方画像３８２は、表示部３８に表示されない。例えば、自装置画像３８０の表示設定が非表示に設定され、相手方画像３８１，３８２の表示設定が表示に設定されている場合、自装置画像３８０は、第３表示領域３８Ｃに表示されない。この場合、第４表示領域３８Ｄの全体が第１表示領域３８Ａとして設定され、相手方画像３８１，３８２が第１表示領域３８Ａに表示される。また、自装置画像３８０及び第１相手方画像３８１の表示設定が非表示に設定され、第２相手方画像３８２の表示設定が表示に設定されている場合、自装置画像３８０及び第１相手方画像３８１は表示されない。この場合、第４表示領域３８Ｄの全体が第１表示領域３８Ａとして設定され、第２相手方画像３８２のみが第１表示領域３８Ａに表示される。なお、図２は、撮影画像３８０，３８１，３８２の全てが表示に設定されている場合に対応した遠隔会議画面である。
【００３２】
自装置画像３８０の表示設定は、通信装置３０のユーザが操作部４０を操作することで、操作部４０で受け付けられた自装置画像３８０の表示設定に関する所定の入力に基づき設定される。第１相手方画像３８１の表示設定は、通信装置３０のユーザが操作部４０を操作することで、操作部４０で受け付けられた第１相手方画像３８１の表示設定に関する所定の入力に基づき設定される。第２相手方画像３８２の表示設定は、通信装置３０のユーザが操作部４０を操作することで、操作部４０で受け付けられた第２相手方画像３８２の表示設定に関する所定の入力に基づき設定される。ＣＰＵ３２は、操作部４０が受け付けた前述の各入力に基づき、撮影画像３８０，３８１，３８２の各表示設定をＲＡＭ３６に記憶する。
【００３３】
操作部４０は、通信装置３０に対する各種の指令等の入力を受け付ける。操作部４０は、例えば、ハードキー４２と、タッチパッド４４を含む。タッチパッド４４は、例えば静電容量式の位置入力装置で、ユーザの指の接触位置に応じた座標位置を示す信号を出力する。なお、タッチパッド４４は、抵抗膜方式や超音波方式等、他の形態の位置入力装置によって構成されてもよい。表示部３８とタッチパッド４４により、タッチパネル（図１で「表示部３８」と「タッチパッド４４」を囲む破線参照）が実現される。表示部３８には、タッチパネルを利用したソフトウェアキー４６が表示される（図２参照）。ソフトウェアキー４６は、操作部４０を構成する。ソフトウェアキー４６としては、カメラキー４６Ａと、共有キー４６Ｂと、戻るキー４６Ｃが例示される。ユーザは、タッチパッド４４に対して、タップ、ドラッグ、フリック、ピンチイン及びピンチアウト等の操作を行う。ユーザは、タッチパッド４４に振れた指等を所定の方向に移動させ、前述したような各操作を行う。このような各操作に基づいた制御技術は、公知のスマートフォン又はタブレット端末でも採用されている。通信装置３０でも、このような公知の技術が採用される。操作部４０は、さらに、キーボード及びマウスを含む構成であってもよい。なお、通信装置３０がパーソナルコンピュータである場合、操作部４０は、例えば、キーボード及びマウスを含む。
【００３４】
カメラ４８は、外界像を撮影する。具体的に、カメラ４８は、通信装置３０の正面に存在する通信装置３０のユーザを含む外界像を撮影する。従って、カメラ４８で撮影された外界像は、上述した自装置画像３８０となる。通信装置３０では、遠隔会議の開始に伴い、カメラ４８での撮影が開始される。通信装置３０では、カメラ４８での撮影の開始に伴い、自装置画像３８０に対応した自装置撮影データが生成される。通信部５０は、通信装置３０をネットワーク９０に接続し、ネットワーク９０を介したデータ通信を行う。音声入出力部５２は、マイク及びスピーカを含む。マイクによって通信装置３０のユーザが発した音声を含む外界音が取得される。スピーカからは所定の音声が出力される。通信装置３０は、後述する処理のプログラムが記憶部３４に記憶されている点が、公知の携帯端末と相違する。但し、通信装置３０は、ハードウェア的には、公知の携帯端末と同一の装置である。
【００３５】
＜会議アプリ処理＞
遠隔会議を実行する場合に通信装置３０で実行される会議アプリ処理について、図３を参照して説明する。ＣＰＵ３２は、会議サーバ２０に接続する（Ｓ１１）。遠隔会議システム１０では、例えば、遠隔会議の開催予定日時以前に、遠隔会議に参加予定の通信装置３０及び相手方装置７１，７２のそれぞれに対応した各電子メールアドレスを宛先として、会議サーバ２０から電子メールが送信される。この電子メールは、通信装置３０及び相手方装置７１，７２による遠隔会議のためのＵＲＬ（Uniform Resource Locator）を含む。このＵＲＬは、遠隔会議の会議室毎に固有である。換言すれば、ＵＲＬには、遠隔会議の会議ＩＤが含まれている。通信装置３０のユーザは、遠隔会議の開催予定日時に、通信装置３０を操作する。Ｓ１１でＣＰＵ３２は、前述したＵＲＬに基づき会議サーバ２０にアクセスし、通信装置３０と会議サーバ２０の間で遠隔会議のセッションを確立する。会議サーバ２０は、ＵＲＬに含まれる会議ＩＤと、通信装置３０の識別情報とを対応付けて保存する。なお、相手方装置７１，７２でも同様の操作が行われ、相手方装置７１，７２のそれぞれと会議サーバ２０の間で遠隔会議のセッションが確立される。通信装置３０及び相手方装置７１，７２による遠隔会議は、このようにして開始される。
【００３６】
ＣＰＵ３２は、会議サーバ２０を介した撮影データの送受信を開始する（Ｓ１３）。Ｓ１３でＣＰＵ３２は、カメラ４８での撮影を開始する。ＣＰＵ３２は、カメラ４８の撮像データを基に自装置撮影データを生成する。ＣＰＵ３２は、生成した自装置撮影データの送信を開始する。自装置撮影データは、通信部５０から会議サーバ２０に送信される。また、Ｓ１３でＣＰＵ３２は、会議サーバ２０を介して送信される撮影データの受信を開始する。撮影データは、通信部５０で受信される。通信装置３０及び相手方装置７１，７２の何れの端末装置も会議サーバ２０に対して配信停止の要求を送信していない場合、通信部５０で受信される撮影データは、自装置撮影データと第１相手方撮影データと第２相手方撮影データである。
【００３７】
次に、ＣＰＵ３２は、自装置映像処理を開始し（Ｓ１５）、その後、他装置映像処理を開始する（Ｓ１７）。自装置映像処理及び他装置映像処理については、後述する。Ｓ１３で開始させた撮影データの送受信と、Ｓ１５で開始させた自装置映像処理と、Ｓ１７で開始させた他装置映像処理は、開始後継続して実行される。他装置映像処理の開始後、ＣＰＵ３２は、操作部４０が資料共有操作を受け付けたか否かを判断する（Ｓ１９）。資料共有操作は、資料共有指示の入力と、共有資料データとなる所定のデータの指定を伴う操作である。資料共有指示は、共有キー４６Ｂ（図２参照）を押下して入力される。ＣＰＵ３２は、操作部４０が受け付けた入力の位置情報と、共有キー４６Ｂが設定された位置情報を比較することにより、Ｓ１９を判断する。通信装置３０のユーザは、共有キー４６Ｂを押下した後、例えば、記憶部３４に記憶されたデータのうち、所定のデータを共有対象の共有資料データとして指定する。ＣＰＵ３２は、共有キー４６Ｂへの入力を受け付けたことに応じて、例えば、記憶部３４内の所定の記憶領域に記憶されたデータを表示部３８に一覧表示する。通信装置３０のユーザは、所望のデータ部分をタップする等して、共有資料１２とする所定のデータを指定する。ＣＰＵ３２は、表示部３８にデータを一覧表示した状態で操作部４０が受け付けた入力に基づいて、指定された所定のデータを、共有資料データとして取得する。
【００３８】
操作部４０が資料共有操作を受け付けた場合（Ｓ１９：Ｙｅｓ）、ＣＰＵ３２は、上述したようにして取得された共有資料データを送信する（Ｓ２１）。共有資料データは、通信部５０から会議サーバ２０に送信される。Ｓ２１を実行した後、ＣＰＵ３２は、処理をＳ２５に移行する。
【００３９】
会議サーバ２０は、通信装置３０から送信された共有資料データを受信し、相手方装置７１，７２に送信する。これにより、遠隔会議に参加する通信装置３０及び相手方装置７１，７２で、１つの共有資料データに対応した共有資料１２が共有される。会議サーバ２０は、撮影データと同様、共有資料データについても送信元である端末装置に送信するようにしてもよい。Ｓ１９が肯定（Ｓ１９：Ｙｅｓ）され、Ｓ２１の実行に伴い通信部５０から共有資料データが会議サーバ２０に送信された場合、会議サーバ２０は、共有資料データを送信元である通信装置３０に送信するようにしてもよい。この場合、通信装置３０では、Ｓ２１を実行後、通信部５０で共有資料データが受信される。ＣＰＵ３２は、通信部５０を介して共有資料データを取得する。
【００４０】
操作部４０が資料共有操作を受け付けていない場合（Ｓ１９：Ｎｏ）、ＣＰＵ３２は、通信部５０で共有資料データが受信されたか否かを判断する（Ｓ２３）。ここで受信される共有資料データは、相手方装置７１，７２で行われた資料共有操作に伴い、資料共有操作が行われた端末装置から会議サーバ２０に送信されたデータである。共有資料データを受信した場合（Ｓ２３：Ｙｅｓ）、ＣＰＵ３２は、処理をＳ２５に移行する。
【００４１】
Ｓ２５でＣＰＵ３２は、資料共有操作に伴い取得された共有資料データ又は通信部５０での受信に伴い取得された共有資料データを対象として、拡大制御処理を実行する。拡大制御処理については、後述する。共有資料データを受信していない場合（Ｓ２３：Ｎｏ）、又は、拡大制御処理を実行した後、ＣＰＵ３２は、操作部４０が受け付けた入力の位置情報と、戻るキー４６Ｃが設定された位置情報を比較することにより、操作部４０が会議終了指示を受け付けたか否かを判断する（Ｓ２７）。操作部４０が会議終了指示を受け付けていない場合（Ｓ２７：Ｎｏ）、ＣＰＵ３２は、処理をＳ１９に戻し、Ｓ１９以降の処理を実行する。
【００４２】
操作部４０が会議終了指示を受け付けた場合（Ｓ２７：Ｙｅｓ）、ＣＰＵ３２は、Ｓ１３で開始させた撮影データの送受信を停止する（Ｓ２９）。続けて、ＣＰＵ３２は、会議サーバ２０との接続を切断する（Ｓ３１）。具体的に、ＣＰＵ３２は、通信部５０を介して会議サーバ２０と通信し、確立された遠隔会議のセッションを切断する所定の手順を実行し、会議サーバ２０との接続を切断する。その後、ＣＰＵ３２は、会議アプリ処理を終了する。
【００４３】
＜自装置映像処理＞
図３のＳ１５で実行される自装置映像処理について、図４を参照して説明する。ＣＰＵ３２は、ＲＡＭ３６に記憶された自装置カメラ設定を参照し、自装置カメラ設定がＯＮであるか否かを判断する（Ｓ４１）。自装置カメラ設定がＯＦＦであってＯＮではない場合（Ｓ４１：Ｎｏ）、ＣＰＵ３２は、映像送信フラグを「０」に設定する（Ｓ４３）。その後、ＣＰＵ３２は、処理をＳ４１に戻し、Ｓ４１以降の処理を繰り返して実行する。
【００４４】
自装置カメラ設定がＯＮである場合（Ｓ４１：Ｙｅｓ）、ＣＰＵ３２は、映像送信フラグを「１」に設定する（Ｓ４５）。上述したＳ４３又はＳ４５で設定された映像送信フラグは、例えば、ＲＡＭ３６に記憶される。続けて、ＣＰＵ３２は、通信部５０で受信された自装置撮影データを画像解析し、通信装置３０のユーザの顔を認識する（Ｓ４７）。例えば、ＣＰＵ３２は、自装置撮影データに対して周知のエッジ検出処理を行うことで、輪郭データを抽出する。ＣＰＵ３２は、抽出された輪郭データを、予め記憶部３４に記憶された顔の特徴部分のテンプレートデータと比較することで、通信装置３０のユーザの顔における複数の特徴部分を認識する。Ｓ４７での画像解析は、この他、種々の周知の画像解析技術を採用して実行されてもよい。
【００４５】
ＣＰＵ３２は、Ｓ４７で認識された複数の特徴部分の位置に基づき、通信装置３０のユーザの顔の領域のサイズ（面積）を決定する（Ｓ４９）。以下では、「顔の領域のサイズ」を「顔のサイズ」という。顔のサイズの決定は、例えば、次のような推定に基づき行われる。ＣＰＵ３２は、Ｓ４７で認識された複数の特徴部分、例えば、両眼及び口を結ぶ三角形を所定倍して得られるサイズ（面積）を、通信装置３０のユーザの顔のサイズとして決定する。所定倍の数値は、例えば、両眼及び口を結ぶ三角形のサイズと、顔の輪郭のサイズの比から決定されてもよい。顔のサイズは、Ｓ４７で通信装置３０のユーザの顔の輪郭を抽出し、これに基づき決定するようにしてもよい。ＣＰＵ３２は、自装置を識別する端末ＩＤに対応付けて、Ｓ４９で決定された顔のサイズを、例えば、ＲＡＭ３６に記憶する（Ｓ５１）。対応付けられる端末ＩＤには、例えば、会議サーバ２０から第１相手方撮影データと共に送信された通信装置３０の端末ＩＤが利用される。その後、ＣＰＵ３２は、処理をＳ４１に戻し、Ｓ４１以降の処理を繰り返して実行する。
【００４６】
なお、ＣＰＵ３２は、ＲＡＭ３６に記憶された自装置画像３８０の表示設定を参照し、自装置画像３８０の表示設定が「表示」とされている場合、通信部５０で受信された自装置撮影データに対応した自装置画像３８０を第３表示領域３８Ｃに表示する指示を表示部３８に出力する。表示部３８では、自装置画像３８０が第３表示領域３８Ｃに表示される。ＲＡＭ３６に記憶された自装置画像３８０の表示設定が「非表示」とされている場合、前述した制御は実行されず、自装置画像３８０は表示されない。この場合、第４表示領域３８Ｄにおいて第３表示領域３８Ｃは、設定されない。
【００４７】
＜他装置映像処理＞
図３のＳ１７で実行される他装置映像処理について、図５を参照して説明する。ＣＰＵ３２は、通信部５０で、第１相手方撮影データ及び第２相手方撮影データの少なくとも一方が受信されているか否かを判断する（Ｓ６１）。第１相手方装置７１から会議サーバ２０に配信停止の要求が送信されていた場合、第１相手方撮影データは、会議サーバ２０から送信されない。第２相手方装置７２から会議サーバ２０に配信停止の要求が送信されていた場合、第２相手方撮影データは、会議サーバ２０から送信されない。通信部５０で第１相手方撮影データ及び第２相手方撮影データが共に受信されていない場合（Ｓ６１：Ｎｏ）、ＣＰＵ３２は、処理をＳ６５に移行する。
【００４８】
通信部５０で第１相手方撮影データ及び第２相手方撮影データの少なくとも一方が受信されている場合（Ｓ６１：Ｙｅｓ）、ＣＰＵ３２は、通信部５０で受信された相手方撮影データに対応した相手方画像（第１相手方画像３８１及び／又は第２相手方画像３８２）が第１表示領域３８Ａに表示されるか否かを判断する（Ｓ６３）。ＣＰＵ３２は、第１相手方画像３８１の表示又は非表示を、ＲＡＭ３６に記憶された第１相手方画像３８１の表示設定を参照して判断する。ＣＰＵ３２は、第２相手方画像３８２の表示又は非表示を、ＲＡＭ３６に記憶された第２相手方画像３８２の表示設定を参照して判断する。通信部５０で第１相手方撮影データが受信され、第１相手方画像３８１の表示設定が「表示」とされている場合、又は、通信部５０で第２相手方撮影データが受信され、第２相手方画像３８２の表示設定が「表示」とされている場合、ＣＰＵ３２は、Ｓ６３を肯定（Ｓ６３：Ｙｅｓ）する。この場合、ＣＰＵ３２は、処理をＳ６７に移行する。
【００４９】
通信部５０で第１相手方撮影データは受信されているが、第１相手方画像３８１の表示設定が「非表示」とされている場合、又は、通信部５０で第２相手方撮影データは受信されているが、第２相手方画像３８２の表示設定が「非表示」とされている場合、ＣＰＵ３２は、Ｓ６３を否定（Ｓ６３：Ｎｏ）する。この場合、ＣＰＵ３２は、処理をＳ６５に移行する。
【００５０】
Ｓ６５でＣＰＵ３２は、映像表示フラグを「０」に設定する。その後、ＣＰＵ３２は、処理をＳ６３に戻し、Ｓ６３以降の処理を繰り返して実行する。Ｓ６７でＣＰＵ３２は、映像表示フラグを「１」に設定する。Ｓ６５又はＳ６７で設定された映像表示フラグは、例えば、ＲＡＭ３６に記憶される。続けて、ＣＰＵ３２は、通信部５０で受信された相手方撮影データを画像解析し、相手方撮影データに含まれる相手方の顔を認識する（Ｓ６９）。Ｓ６９では、例えば、図４のＳ４７と同様、周知の画像解析技術により、相手方の顔における複数の特徴部分が認識される。ＣＰＵ３２は、Ｓ６９の認識結果に基づき、相手方の顔のサイズを決定する。相手方の顔の認識及びサイズの決定は、図４のＳ４７及びＳ４９と同様に行われる。
【００５１】
例えば、通信部５０で、第１相手方撮影データが受信されていたとする。この場合、Ｓ６９でＣＰＵ３２は、第１相手方撮影データを対象として、周知のエッジ検出処理により抽出された輪郭データを、予め記憶部３４に記憶された顔の特徴部分のテンプレートデータと比較することで、第１相手方装置７１の相手方の顔における複数の特徴部分を認識する。Ｓ７１でＣＰＵ３２は、Ｓ６９で認識された複数の特徴部分の位置に基づき、この相手方の顔のサイズを決定する。通信部５０で、第２相手方撮影データが受信されていたとする。この場合、Ｓ６９でＣＰＵ３２は、第２相手方装置７２の第２相手方撮影データを対象として、周知のエッジ検出処理により抽出された輪郭データを、予め記憶部３４に記憶された顔の特徴部分のテンプレートデータと比較することで、第２相手方装置７２の相手方の顔における複数の特徴部分を認識する。Ｓ７１でＣＰＵ３２は、Ｓ６９で認識された複数の特徴部分の位置に基づき、この相手方の顔のサイズを決定する。
【００５２】
ＣＰＵ３２は、処理の対象となった相手方撮影データが撮影された相手方装置を識別する端末ＩＤと対応付けて、Ｓ７１で決定された顔のサイズを記憶する（Ｓ７３）。処理対象の相手方撮影データが第１相手方撮影データである場合、ＣＰＵ３２は、Ｓ７１で決定された第１相手方装置７１の相手方の顔のサイズを、第１相手方装置７１の端末ＩＤに対応付けて記憶する。対応付けられる端末ＩＤには、例えば、会議サーバ２０から第１相手方撮影データと共に送信された第１相手方装置７１の端末ＩＤが利用される。処理対象の撮影データが第２相手方撮影データである場合、ＣＰＵ３２は、Ｓ７１で決定された第２相手方装置７２の相手方の顔のサイズを、第２相手方装置７２の端末ＩＤに対応付けて記憶する。対応付けられる端末ＩＤには、例えば、会議サーバ２０から第２相手方撮影データと共に送信された第２相手方装置７２の端末ＩＤが利用される。相手方装置７１，７２の各相手方の顔のサイズは、図４のＳ５１と同様、例えば、ＲＡＭ３６に記憶される。
【００５３】
次に、ＣＰＵ３２は、通信部５０で受信された相手方撮影データに対応した第１相手方画像３８１及び／又は第２相手方画像３８２を第１表示領域３８Ａに表示する指示を表示部３８に出力する。ＣＰＵ３２は、ＲＡＭ３６に記憶された相手方画像３８１，３８２の各表示設定を参照し、表示設定が「表示」とされている撮影画像を表示の対象とする。表示部３８では、第１相手方画像３８１及び／又は第２相手方画像３８２が第１表示領域３８Ａに表示される。その後、ＣＰＵ３２は、処理をＳ６３に戻し、Ｓ６３以降の処理を繰り返して実行する。
【００５４】
＜拡大制御処理＞
図３のＳ２５で実行される拡大制御処理について、２つの実施例を説明する。
【００５５】
＜第１実施例＞
第１実施例の拡大制御処理について、図６を参照して説明する。ＣＰＵ３２は、第１実施例の拡大制御処理の開始に際し、共有資料１２を、共有資料１２の表示倍率のデフォルト値で第２表示領域３８Ｂに表示する指示を表示部３８に出力する。表示倍率のデフォルト値は、予め定められる。表示部３８では、共有資料１２が表示倍率のデフォルト値で第２表示領域３８Ｂに表示される。ＣＰＵ３２は、ＲＡＭ３６に記憶された映像送信フラグを参照し、映像送信フラグが「１」に設定されているか否かを判断する（Ｓ８１）。映像送信フラグは、上述した図４のＳ４５（映像送信フラグとして「１」が設定）又はＳ４３（映像送信フラグとして「０」が設定）で設定され、ＲＡＭ３６に記憶される。映像送信フラグが「１」である場合（Ｓ８１：Ｙｅｓ）、ＣＰＵ３２は、通信装置３０のユーザの顔のサイズが第３表示領域３８Ｃのサイズより大きいか否かを判断する（Ｓ８３）。
【００５６】
Ｓ８３でＣＰＵ３２は、図４のＳ５１で自装置の端末ＩＤに対応付けてＲＡＭ３６に記憶された顔のサイズを取得する。ＣＰＵ３２は、ＲＡＭ３６に記憶された撮影画像３８０，３８１，３８２の各表示設定を参照し、第４表示領域３８Ｄに表示されている撮影画像（撮影画像３８０，３８１，３８２の一部又は全部）を特定する。そして、ＣＰＵ３２は、特定された撮影画像数と、予め記憶部３４に記憶された第４表示領域３８Ｄのサイズに基づき、第４表示領域３８Ｄにおける第３表示領域３８Ｃのサイズを取得する。例えば、撮影画像３８０，３８１，３８２が図２に示すように表示されている場合、第３表示領域３８Ｃのサイズは、第４表示領域３８Ｄのサイズの１／３となる（図２等参照）。ＣＰＵ３２は、このようにして取得された顔のサイズと第３表示領域３８Ｃのサイズを対象としてＳ８３を実行する。
【００５７】
顔のサイズが第３表示領域３８Ｃのサイズより大きい場合（Ｓ８３：Ｙｅｓ）、ＣＰＵ３２は、第２表示領域３８Ｂに表示される共有資料１２の表示倍率の下限値を設定する（Ｓ８５）。Ｓ８５でＣＰＵ３２は、第３表示領域３８Ｃのサイズと、Ｓ８３の対象であった顔のサイズの比から、表示倍率の下限値を選定する。表示倍率の下限値は、例えば、予め定めた規則に従い選定される。例えば、図７に示す規則に基づけば、第３表示領域３８Ｃのサイズに対して顔のサイズが１０％未満である場合、表示倍率の下限値として、共有資料１２の全体を第２表示領域３８Ｂにフィットした状態で表示可能な表示倍率が選定される。第３表示領域３８Ｃのサイズに対して顔のサイズが１０％以上、５０％未満である場合、表示倍率の下限値として１００％が選定される。表示倍率が１００％である場合、共有資料１２は、共有資料データのサイズ（画像サイズ）に一致した原寸大で第２表示領域３８Ｂに表示される。第３表示領域３８Ｃのサイズに対して顔のサイズが５０％以上である場合、表示倍率の下限値として２００％が選定される。ＣＰＵ３２は、選定された表示倍率を下限値として設定する。ＣＰＵ３２は、Ｓ８５を実行した後、処理をＳ９１に移行する。
【００５８】
映像送信フラグが「０」に設定されており、映像送信フラグが「１」ではない場合（Ｓ８１：Ｎｏ）、ＣＰＵ３２は、共有資料１２の表示倍率の下限値が設定されているか否かを判断する（Ｓ８７）。表示倍率の下限値が設定されている場合（Ｓ８７：Ｙｅｓ）、ＣＰＵ３２は、設定されている下限値をクリアし、下限値をデフォルト値に設定する（Ｓ８９）。Ｓ８５又はＳ８９で設定される表示倍率の下限値は、第２表示領域３８Ｂに共有資料１２を表示する場合の下限側の基準倍率となる。その後、ＣＰＵ３２は、処理をＳ９１に移行する。
【００５９】
Ｓ９１でＣＰＵ３２は、ＲＡＭ３６に記憶された映像表示フラグを参照し、映像表示フラグが「１」に設定されているか否かを判断する。映像表示フラグは、上述した図５のＳ６７（映像表示フラグとして「１」が設定）又はＳ６５（映像表示フラグとして「０」が設定）で設定され、ＲＡＭ３６に記憶される。映像表示フラグが「０」に設定されており、映像表示フラグが「１」ではない場合（Ｓ９１：Ｎｏ）、ＣＰＵ３２は、処理をＳ１０１に移行する。映像表示フラグが「１」である場合（Ｓ９１：Ｙｅｓ）、ＣＰＵ３２は、第２表示領域３８Ｂに表示される共有資料１２の表示倍率を設定する（Ｓ９３）。Ｓ９３でＣＰＵ３２は、図５のＳ７３で第１相手方装置７１及び／又は第２相手方装置７２の各端末ＩＤに対応付けてＲＡＭ３６に記憶された顔のサイズを取得し、これに応じて共有資料１２の表示倍率を設定する。図５のＳ７３で第１相手方装置７１及び第２相手方装置７２の両端末ＩＤにそれぞれ対応付けて顔のサイズが記憶されていた場合、最小の顔のサイズを基準として共有資料１２の表示倍率を設定する。
【００６０】
表示倍率は、第１表示領域３８Ａのサイズに対する顔のサイズ（複数対応付けされている場合は、最小の顔のサイズ）の比率に応じた値に設定される。例えば、第１表示領域３８Ａのサイズに対する顔のサイズの比率が所定の第１比率より大きい第２比率となる状態では、第１比率に対応する表示倍率より高倍率の第２比率に対応する表示倍率が設定される。相手方画像３８１，３８２が共に第１表示領域３８Ａに表示されている場合、前述した第１表示領域３８Ａのサイズは、最小の顔のサイズとなる相手方画像（相手方画像３８１，３８２の何れか一方）が表示される第１表示領域３８Ａの部分のサイズである。なお、Ｓ９３で設定される表示倍率は１００％以下であってもよい。
【００６１】
Ｓ９３を実行した後、ＣＰＵ３２は、Ｓ９３で設定された表示倍率が、Ｓ８５又はＳ８９で設定された下限値より低いか否かを判断する（Ｓ９５）。Ｓ９３で設定された表示倍率がＳ８５又はＳ８９で設定された下限値より低い場合（Ｓ９５：Ｙｅｓ）、ＣＰＵ３２は、共有資料１２の表示倍率を、Ｓ９３で設定された表示倍率からＳ８５又はＳ８９で設定された下限値に再設定する（Ｓ９７）。Ｓ９３で設定された表示倍率がＳ８５又はＳ８９で設定された下限値より低くない場合（Ｓ９５：Ｎｏ）、又は、Ｓ９７を実行した後、ＣＰＵ３２は、第２表示領域３８Ｂに表示中の共有資料１２をＳ９３又はＳ９７で設定された表示倍率の共有資料１２に変更する指示を表示部３８に出力する（Ｓ９９）。表示部３８では、第２表示領域３８Ｂに表示中の共有資料１２がＳ９３又はＳ９７で設定された表示倍率の共有資料１２に変更され、Ｓ９３又はＳ９７で設定された表示倍率の共有資料１２が表示される。
【００６２】
上述したＳ９３〜Ｓ９９を図８に基づき説明する。図８に示す例では、第２相手方画像３８２における相手方の顔のサイズは、第１相手方画像３８１における相手方の顔のサイズより小さい。そのため、Ｓ９３でＣＰＵ３２は、第２相手方装置７２の端末ＩＤに対応付けられた顔のサイズを処理の対象とする。ＣＰＵ３２は、第１表示領域３８Ａのサイズ（第２相手方画像３８２が表示されている第１表示領域３８Ａの部分のサイズ）に対するこの顔のサイズの比率に応じた表示倍率を設定する（Ｓ９３）。ＣＰＵ３２は、Ｓ９３で設定された表示倍率と、Ｓ８５で設定された下限値とを比較し（Ｓ９５）、Ｓ９３で設定された表示倍率がＳ８５で設定された下限値より低い場合（Ｓ９５：Ｙｅｓ）、共有資料１２の表示倍率を、Ｓ９３で設定された表示倍率からＳ８５で設定された下限値に再設定する（Ｓ９７）。その後、ＣＰＵ３２は、第２表示領域３８Ｂに表示中の共有資料１２を、Ｓ９５の結果に基づいた表示倍率（Ｓ９３又はＳ９７で設定された表示倍率）の共有資料１２とする制御を行う（Ｓ９９）。これにより、第２表示領域３８Ｂでの共有資料１２の表示態様は、図８に示す「拡大前」の状態から「拡大後」の状態に変更され、共有資料１２がＳ９５の結果に基づいた表示倍率で第２表示領域３８Ｂに表示される。Ｓ９９を実行した後、ＣＰＵ３２は、処理をＳ１０１に移行する。
【００６３】
Ｓ１０１でＣＰＵ３２は、操作部４０が資料共有終了操作を受け付けたか否かを判断する。資料共有終了操作は、例えば、共有キー４６Ｂ（図２参照）を２回連続して押下するといった指示の入力を伴う。ＣＰＵ３２は、操作部４０が受け付けた２回の入力の各位置情報と、共有キー４６Ｂが設定された位置情報を比較することにより、Ｓ１０１を判断する。操作部４０が資料共有終了操作を受け付けていない場合（Ｓ１０１：Ｎｏ）、ＣＰＵ３２は、処理をＳ８１に戻し、Ｓ８１以降の処理を実行する。操作部４０が資料共有終了操作を受け付けた場合（Ｓ１０１：Ｙｅｓ）、ＣＰＵ３２は、第１実施例の拡大制御処理を終了する。
【００６４】
＜第２実施例＞
第２実施例の拡大制御処理について、図９を参照して説明する。ＣＰＵ３２は、第２実施例の拡大制御処理の開始に際し、共有資料１２を、共有資料１２の表示倍率のデフォルト値で第２表示領域３８Ｂに表示する指示を表示部３８に出力する。表示倍率のデフォルト値は、予め定められる。表示部３８では、共有資料１２が表示倍率のデフォルト値で第２表示領域３８Ｂに表示される。通信装置３０のユーザは、ピンチイン又はピンチアウトの操作により共有資料１２の表示倍率を変更することができる。ＣＰＵ３２は、第２表示領域３８Ｂに表示されている共有資料１２の表示倍率を取得する（Ｓ１１１）。表示倍率は、例えば、第１表示領域３８Ａに表示されている状態の共有資料１２の全体のサイズを、共有資料１２に対応した共有資料データのサイズ（原寸）で除して算出することができる。ＯＳで表示倍率が管理されている場合、ＣＰＵ３２は、ＯＳから表示倍率を取得するようにしてもよい。ＣＰＵ３２は、取得された表示倍率が基準となる表示倍率１００％（原寸大）以上であるか否かを判断する（Ｓ１１３）。表示倍率が１００％以上である場合（Ｓ１１３：Ｙｅｓ）、ＣＰＵ３２は、第４表示領域３８Ｄに表示されている撮影画像（撮影画像３８０，３８１，３８２の一部又は全部）を対象として、各撮影画像で顔の領域が占める比率が予め定めた第３比率以下であるか否かを判断する（Ｓ１１５）。ＣＰＵ３２は、ＲＡＭ３６に記憶された撮影画像３８０，３８１，３８２の各表示設定を参照し、第４表示領域３８Ｄに表示されている撮影画像（撮影画像３８０，３８１，３８２の一部又は全部）を特定する。
【００６５】
例えば、図２及び後述する図１０の「拡大前」に示すように、自装置画像３８０が第３表示領域３８Ｃに表示され、相手方画像３８１，３８２が第１表示領域３８Ａに表示されているとする。ＣＰＵ３２は、図４のＳ５１で自装置の端末ＩＤに対応付けてＲＡＭ３６に記憶された顔のサイズを取得する。ＣＰＵ３２は、第３表示領域３８Ｃに表示されている状態の自装置画像３８０のサイズ（面積  第３表示領域３８Ｃのサイズ（面積）と同一）を基準として、この基準となるサイズに対する顔のサイズの比率を取得する。ＣＰＵ３２は、取得された比率が予め定めた第３比率以下であるか否かを判断する。ＣＰＵ３２は、図５のＳ７３で第１相手方装置７１の端末ＩＤに対応付けてＲＡＭ３６に記憶された顔のサイズを取得する。ＣＰＵ３２は、第１表示領域３８Ａに表示されている状態の第１相手方画像３８１のサイズ（面積  第１表示領域３８Ａのサイズ（面積）の１／２）を基準として、この基準となるサイズに対する顔のサイズの比率を取得する。ＣＰＵ３２は、取得された比率が予め定めた第３比率以下であるか否かを判断する。ＣＰＵ３２は、図５のＳ７３で第２相手方装置７２の端末ＩＤに対応付けてＲＡＭ３６に記憶された顔のサイズを取得する。ＣＰＵ３２は、第１表示領域３８Ａに表示されている状態の第２相手方画像３８２のサイズ（面積  第１表示領域３８Ａのサイズ（面積）の１／２）を基準として、この基準となるサイズに対する顔のサイズの比率を取得する。ＣＰＵ３２は、取得された比率が予め定めた第３比率以下であるか否かを判断する。
【００６６】
撮影画像３８０，３８１，３８２が図２等に示すように表示されている場合、上述した、第３表示領域３８Ｃに表示されている状態の自装置画像３８０のサイズと、第１表示領域３８Ａに表示されている状態の第１相手方画像３８１のサイズと、第１表示領域３８Ａに表示されている状態の第２相手方画像３８２のサイズは、何れも第４表示領域３８Ｄの１／３のサイズとなる（図２等参照）。撮影画像３８０，３８１，３８２が全て表示されている場合を例に説明したが、非表示の撮影画像がある場合、非表示の撮影画像については、Ｓ１１５における上述した判断は実行されない。
【００６７】
表示中の撮影画像（撮影画像３８０，３８１，３８２の一部又は全部）における顔の領域が占める比率が第３比率以下である場合（Ｓ１１５：Ｙｅｓ）、ＣＰＵ３２は、第３比率以下となる撮影画像（以下、「拡大対象の撮影画像」という）に対応した撮影データを対象として、この撮影データを、表示中の状態において顔の領域の比率が予め定めた第３比率より大きい比率となるサイズに拡大する（Ｓ１１７）。拡大後の比率は、第３比率であってもよい。この場合、Ｓ１１５は、第３比率未満であるか否かに基づき判断される。拡大後の比率については、諸条件を考慮し、適宜設定される。続けて、ＣＰＵ３２は、表示中の拡大対象の撮影画像を拡大後の撮影データに対応した撮影画像に変更する指示を表示部３８に出力する（Ｓ１１９）。表示部３８では、表示中の拡大対象の撮影画像が拡大後の撮影データに対応した撮影画像に変更され、拡大後の撮影データに対応した撮影画像が表示される。
【００６８】
上述したＳ１１７及びＳ１１９を図１０に基づき説明する。第２相手方画像３８２における相手方の顔のサイズが第３比率以下であるため、Ｓ１１５が肯定（Ｓ１１５：Ｙｅｓ）されていることとする（拡大対象の撮影画像：第２相手方画像３８２）。Ｓ１１７でＣＰＵ３２は、第２相手方撮影データを、表示中の状態において顔の領域の比率が予め定めた第３比率より大きい比率となるサイズに拡大する。Ｓ１１９でＣＰＵ３２は、表示中の第２相手方画像３８２を拡大後の第２相手方撮影データに対応した第２相手方画像３８２とする制御を実行する。これにより、第１表示領域３８Ａにおいて第１相手方画像３８１と共に表示されていた第２相手方画像３８２の表示態様は、図１０に示す「拡大前」の状態から「拡大後」の状態に変更され、拡大後の第２相手方撮影データに対応した第２相手方画像３８２が第１表示領域３８Ａに表示される。
【００６９】
表示中の撮影画像（撮影画像３８０，３８１，３８２の一部又は全部）における顔の領域が占める比率が何れも第３比率以下ではない場合（Ｓ１１５：Ｎｏ）、又は、Ｓ１１９を実行した後、ＣＰＵ３２は、処理をＳ１２７に移行する。
【００７０】
説明をＳ１１３に戻し、表示倍率が１００％以上ではない場合（Ｓ１１３：Ｎｏ）、ＣＰＵ３２は、第４表示領域３８Ｄに表示されている撮影画像（撮影画像３８０，３８１，３８２の一部又は全部）を対象として、各撮影画像で顔の領域が占める比率が予め定めた第４比率以上であるか否かを判断する（Ｓ１２１）。Ｓ１２１でＣＰＵ３２は、Ｓ１１５に関連して説明した手法により第４表示領域３８Ｄに表示されている撮影画像で顔の領域が占める比率を取得し、取得された各比率が第４比率以上であるか否かを判断する。第４比率は、例えば、第３比率以下の値とされる。Ｓ１２１における判断手法に関するこの他の説明は、省略する。
【００７１】
表示中の撮影画像（撮影画像３８０，３８１，３８２の一部又は全部）における顔の領域が占める比率が第４比率以上である場合（Ｓ１２１：Ｙｅｓ）、ＣＰＵ３２は、第４比率以上となる撮影画像（以下、「縮小対象の撮影画像」という）に対応した撮影データを対象として、この撮影データを、表示中の状態において顔の領域の比率が予め定めた第４比率より小さい比率となるサイズに縮小する（Ｓ１２３）。縮小後の比率は、第４比率であってもよい。この場合、Ｓ１２１は、第４比率より大きいか否かに基づき判断される。縮小後の比率については、諸条件を考慮し、適宜設定される。縮小は、元のサイズ（例えば、原寸のサイズ）より小さくなるように拡大すると同じ意味である。続けて、ＣＰＵ３２は、表示中の縮小対象の撮影画像を縮小後の撮影データに対応した撮影画像に変更する指示を表示部３８に出力する（Ｓ１２５）。表示部３８では、表示中の縮小対象の撮影画像が縮小後の撮影データに対応した撮影画像に変更され、縮小後の撮影データに対応した撮影画像が表示される。
【００７２】
上述したＳ１２３及びＳ１２５を図１１に基づき説明する。第２相手方画像３８２における相手方の顔のサイズが第４比率以上であるため、Ｓ１２１が肯定（Ｓ１２１：Ｙｅｓ）されていることとする（縮小対象の撮影画像：第２相手方画像３８２）。Ｓ１２３でＣＰＵ３２は、第２相手方撮影データを、表示中の状態において顔の領域の比率が第４比率となるサイズに縮小する。Ｓ１２５でＣＰＵ３２は、表示中の第２相手方画像３８２を縮小後の第２相手方撮影データに対応した第２相手方画像３８２とする制御を実行する。これにより、第１表示領域３８Ａにおいて第１相手方画像３８１と共に表示されていた第２相手方画像３８２の表示態様は、図１１に示す「縮小前」の状態から「縮小後」の状態に変更され、縮小後の第２相手方撮影データに対応した第２相手方画像３８２が第１表示領域３８Ａに表示される。
【００７３】
表示中の撮影画像（撮影画像３８０，３８１，３８２の一部又は全部）における顔の領域が占める比率が何れも第４比率以上ではない場合（Ｓ１２１：Ｎｏ）、又は、Ｓ１２５を実行した後、ＣＰＵ３２は、処理をＳ１２７に移行する。
【００７４】
Ｓ１２７でＣＰＵ３２は、操作部４０が資料共有終了操作を受け付けたか否かを判断する。資料共有終了操作は、上述した通り、例えば、共有キー４６Ｂ（図２参照）を２回連続して押下するといった指示の入力を伴う。ＣＰＵ３２は、操作部４０が受け付けた２回の入力の各位置情報と、共有キー４６Ｂが設定された位置情報を比較することにより、Ｓ１２７を判断する。操作部４０が資料共有終了操作を受け付けていない場合（Ｓ１２７：Ｎｏ）、ＣＰＵ３２は、処理をＳ１１１に戻し、Ｓ１１１以降の処理を実行する。操作部４０が資料共有終了操作を受け付けた場合（Ｓ１２７：Ｙｅｓ）、ＣＰＵ３２は、第２実施例の拡大制御処理を終了する。
【００７５】
＜実施形態の効果＞
上記の実施形態によれば、次のような効果を得ることができる。
【００７６】
（１）図６に示す第１実施例の拡大制御処理では、相手方画像（第１相手方画像３８１及び／又は第２相手方画像３８２）が第１表示領域３８Ａに表示されている場合（Ｓ９１：Ｙｅｓ参照）、表示されている相手方画像に対応した撮影データに含まれる顔のサイズに応じて共有資料１２の表示倍率を設定する（Ｓ９３参照）こととした。そして、共有資料１２をＳ９３で設定された表示倍率で第２表示領域３８Ｂに表示する（Ｓ９９参照）こととした（図８参照）。また、映像送信フラグが「１」に設定されている状態で（Ｓ８１：Ｙｅｓ参照）、通信装置３０のユーザの顔のサイズが第３表示領域３８Ｃのサイズより大きい場合（Ｓ８３：Ｙｅｓ参照）、第３表示領域３８ＣのサイズとＳ８３の対象であった顔のサイズの比から、予め定めた規則（図７参照）に従い、共有資料１２の表示倍率の下限値を設定する（Ｓ８５参照）こととした。そして、Ｓ９３で設定された表示倍率がＳ８５で設定された下限値より低い場合（Ｓ９５：Ｙｅｓ参照）、共有資料１２の表示倍率をＳ８５で設定された表示倍率の下限値に再設定する（Ｓ９７参照）こととした。
【００７７】
そのため、相手方の顔を視認できていると推測される通信装置３０のユーザに対して、共有資料１２を視認し易い状態で表示することができる。相手方の顔と共有資料１２の各表示を好適に行うことができる。通信装置３０のユーザは、表示部３８に顔を近づけなくてもよい。通信装置３０のユーザの顔が表示部３８に近づかなくなることで、カメラ４８で顔の一部のみが撮影されてしまうといった状況を抑制することができる。
【００７８】
（２）図９に示す第２実施例の拡大制御処理では、共有資料１２の表示倍率が１００％以上で（Ｓ１１３：Ｙｅｓ）、撮影画像３８０，３８１，３８２のうち、表示中の撮影画像（撮影画像３８０，３８１，３８２の一部又は全部）における顔の領域が第３比率以下である場合（Ｓ１１５：Ｙｅｓ参照）、第３比率以下の撮影データを対象として、顔の領域が第３比率より大きい比率となるように撮影データを拡大する（Ｓ１１７参照）こととした。そして、拡大後の撮影データに対応した撮影画像を表示する（Ｓ１１９参照）こととした（図１０参照）。共有資料１２の表示倍率が１００％以上ではなく（Ｓ１１３：Ｎｏ参照）、撮影画像３８０，３８１，３８２のうち、表示中の撮影画像（撮影画像３８０，３８１，３８２の一部又は全部）における顔の領域が第４比率以上である場合（Ｓ１２１：Ｙｅｓ参照）、第４比率以上の撮影データを対象として、顔の領域が第４比率より小さい比率となるように撮影データを縮小する（図９のＳ１２３参照）こととした。そして、縮小後の撮影データに対応した撮影画像を表示する（Ｓ１２５参照）こととした（図１１参照）。
【００７９】
そのため、例えば、共有資料１２の表示倍率が１００％以上で、共有資料１２については好適に視認できていると推測される通信装置３０のユーザに対して、撮影画像３８０，３８１，３８２のうち、表示設定が「表示」である撮影画像（撮影画像３８０，３８１，３８２の一部又は全部）を視認し易い状態で表示することができる。相手方の顔と共有資料１２の各表示を好適に行うことができる。通信装置３０のユーザは、表示部３８に顔を近づけなくてもよい。通信装置３０のユーザの顔が表示部３８に近づかなくなることで、カメラ４８で顔の一部のみが撮影されてしまうといった状況を抑制することができる。共有資料１２の表示倍率に応じて、撮影画像３８０，３８１，３８２における顔のサイズを変更することができる。
【００８０】
＜変形例＞
上記の実施形態は、次のようにすることもできる。
【００８１】
（１）上記では、通信装置３０のユーザが発した音声及びこの音声に対応した音声データと、相手方装置７１，７２の各相手方が発した音声及びこれら音声に対応した音声データに関する説明は、省略した。遠隔会議システム１０における遠隔会議では、公知の遠隔会議システムと同様、撮影画像３８０，３８１，３８２と共に音声を利用することもできる。この場合、通信装置３０では、遠隔会議の開始に伴い、音声入出力部５２のマイクでの音声の取得が開始される。通信装置３０では、マイクでの音声の取得の開始に伴い、マイクで取得された音声に対応した音声データが生成される。
【００８２】
遠隔会議システム１０では、通信装置３０で取得された音声データ（以下、「自装置音声データ」という）が自装置撮影データと共に通信装置３０から会議サーバ２０に送信される。また、第１相手方装置７１で取得された音声データ（以下、「第１相手方音声データ」という）が第１相手方撮影データと共に第１相手方装置７１から会議サーバ２０に送信され、第２相手方装置７２で取得された音声データ（以下、「第２相手方音声データ」という）が第２相手方撮影データと共に第２相手方装置７２から会議サーバ２０に送信される。自装置音声データと第１相手方音声データと第２相手方音声データを区別せず、又は、これらを総称する場合、「音声データ」という。
【００８３】
会議サーバ２０は、取得された撮影データ及び音声データを、通信装置３０及び相手方装置７１，７２にそれぞれ送信する。具体的に、会議サーバ２０は、通信装置３０に、第１相手方音声データ及び第２相手方音声データを送信する。会議サーバ２０は、第１相手方装置７１に、自装置音声データ及び第２相手方音声データを送信する。会議サーバ２０は、第２相手方装置７２に、自装置音声データ及び第１相手方音声データを送信する。撮影データについては、上記同様、会議サーバ２０から、通信装置３０及び相手方装置７１，７２にそれぞれ送信される。通信装置３０では、自装置撮影データ及び相手方撮影データと、第１相手方音声データ及び第２相手方音声データが再生され、相手方画像３８１，３８２の各表示に同期させて、第１相手方音声データ及び第２相手方音声データに対応した音声が音声入出力部５２のスピーカから出力される。
【００８４】
このように遠隔会議システム１０で音声データが会議サーバ２０を介して通信装置３０及び相手方装置７１，７２の間を送受信され、各端末装置で音声が出力される場合、上述した図６のＳ９３は、音声入出力部５２のスピーカから出力される音声のレベルに基づき判断するようにしてもよい。即ち、上記では、遠隔会議に参加する相手方装置が複数（上記例に基づけば、相手方装置７１，７２）である場合を想定し、図５のＳ７３で第１相手方装置７１及び第２相手方装置７２の両端末ＩＤにそれぞれ対応付けて顔のサイズが記憶されていた場合、最小の顔のサイズを基準として共有資料１２の表示倍率を設定する（図６のＳ９３参照）こととした。図５のＳ７３で第１相手方装置７１及び第２相手方装置７２の両端末ＩＤにそれぞれ対応付けて顔のサイズが記憶されていた場合、音声レベルの高い相手方装置（相手方装置７１，７２の何れか一方）の端末ＩＤに対応付けられた顔のサイズを基準として共有資料１２の表示倍率を設定するようにしてもよい。通信装置３０のユーザが注目していると推定される発言中の相手方の顔のサイズに基づき、表示倍率を設定することができる。
【００８５】
（２）上記では、図４に示す自装置映像処理では、映像送信フラグを「０」又は「１」に設定し（Ｓ４３又はＳ４５参照）、図５に示す他装置映像処理では、映像表示フラグを「０」又は「１」に設定する（Ｓ６５又はＳ６７参照）こととした。図３のＳ２５における拡大制御処理として、図９に示す第２実施例の拡大制御処理が採用される場合、図４のＳ４３及びＳ４５と図５のＳ６５及びＳ６７は、それぞれ省略するようにしてもよい。第２実施例の拡大制御処理では、これらフラグを利用した処理が実行されない。
【００８６】
（３）上記では、図９のＳ１１３の判断基準として表示倍率が１００％である場合を例に説明した。判断基準となる表示倍率は、１００％とは異なる倍率であってもよい。判断基準となる表示倍率は、諸条件を考慮し、適宜決定するとよい。
【００８７】
（４）上記では、表示部３８とタッチパッド４４とカメラ４８が一体的に接続された通信装置３０を例に説明した。通信装置３０は、表示部３８及びタッチパッド４４を別体とした構成であってもよい。
【符号の説明】
【００８８】
１０  遠隔会議システム
１２  共有資料
２０  会議サーバ
３０  通信装置
３２  ＣＰＵ
３４  記憶部
３６  ＲＡＭ
３８  表示部
３８Ａ  第１表示領域
３８Ｂ  第２表示領域
３８Ｃ  第３表示領域
３８Ｄ  第４表示領域
４０  操作部
４２  ハードキー
４４  タッチパッド
４６  ソフトウェアキー
４６Ａ  カメラキー
４６Ｂ  共有キー
４６Ｃ  戻るキー
４８  カメラ
５０  通信部
５２  音声入出力部
５４  バス
７１  第１相手方装置
７２  第２相手方装置
９０  ネットワーク
３８０  自装置画像
３８１  第１相手方画像
３８２  第２相手方画像
【図１】
2014194675.tif 000003
【図２】
2014194675.tif 000004
【図３】
2014194675.tif 000005
【図４】
2014194675.tif 000006
【図５】
2014194675.tif 000007
【図６】
2014194675.tif 000008
【図７】
2014194675.tif 000009
【図８】
2014194675.tif 000010
【図９】
2014194675.tif 000011
【図１０】
2014194675.tif 000012
【図１１】
2014194675.tif 000013